(57)【特許請求の範囲】
【請求項１】
子供が着座する着座部を含む育児器具本体と、前記着座部の両側において両端部が前記育児器具本体に接続したガード部材と、を含む育児器具に取り付けられるケープであって、
前記ガード部材が通る筒状の複数の通過穴が形成されており、
複数の前記通過穴が、前記ケープの上下方向に互いから離間して形成されているケープ。
【請求項２】
前記通過穴の１つが、前記ケープの上縁に形成されている、請求項１に記載のケープ。
【請求項３】
前記通過穴の１つが、前記ケープの上縁から離間して形成されている、請求項１又は２に記載のケープ。
【請求項４】
前記ケープは、シート状部材を含み、
前記シート状部材は、第１領域及び当該第１領域の上縁に接続する第２領域を含み、
前記複数の通過穴は第１通過穴を含み
前記第１通過穴は、前記第２領域を前記ケープの幅方向に沿って折り返して前記第１領域に縫着することにより形成されている、請求項１乃至３のいずれか一項に記載のケープ。
【請求項５】
前記ケープのうち前記第１通過穴が形成された領域において、前記第１領域及び前記第２領域の一方の幅は、前記第１領域及び前記第２領域の他方の幅よりも狭い、請求項４に記載のケープ。
【請求項６】
前記ケープは、互いに重ね合わされた第１布材及び第２布材を含み、
前記複数の通過穴は第２通過穴を含み、
前記第２通過穴は、前記第１布材及び前記第２布材の間に形成されている、請求項１乃至５のいずれか一項に記載のケープ。
【請求項７】
前記ケープのうち前記第２通過穴が形成された領域において、前記第１布材及び前記第２布材の一方の幅は、前記第１布材及び前記第２布材の他方の幅よりも狭い、請求項６に記載のケープ。
【請求項８】
前記通過穴が形成された本体領域と、前記本体領域から立ち上がったマチ領域と、を備えた、請求項１乃至７のいずれか一項に記載のケープ。
【請求項９】
子供が着座する着座部を含む育児器具本体と、前記着座部の両側において両端部が前記育児器具本体に接続したガード部材と、を含む育児器具と、
請求項１乃至８のいずれか一項に記載のケープと、
を備えたケープ付き育児器具。
【請求項１０】
前記育児器具は、一対の前脚を有し、展開状態と折り畳み状態との間で変形可能な乳母車であり、
前記ケープは、前記育児器具が展開状態にある場合及び折り畳み状態にある場合のいずれにおいても前記一対の前脚の幅方向外側を向く面の内側に位置するように、前記ガード部材に取り付け可能である、請求項９に記載のケープ付き育児器具。
【発明の詳細な説明】
【技術分野】
【０００１】
本発明は、育児器具に着座した子供を覆うためのケープに関する。また、本発明は、そのようなケープを備えたケープ付き育児器具に関する。
【背景技術】
【０００２】
例えばＪＰ２００５―２９０６５２Ａに開示されているように、乳母車等の育児器具に着座した子供の膝を覆うためのケープが知られている。ケープは、両端部にスナップボタンやクリップが設けられた紐部材によって、育児器具に着脱可能に接続される。【０００３】
しかしながら、上記紐部材によって育児器具に接続されたケープは、育児器具に着座した子供によって引っ張られると、育児器具から外れてしまうことがある。また、ケープを使用する度に紐部材をケープに取り付けたりケープから取り外したりすることは、煩雑である。
【発明の開示】
【０００４】
本発明は以上の点を考慮してなされたものであり、育児器具への取り付け及び取り外しが容易で且つ育児器具から外れる虞が低減されたケープ、及び、そのようなケープを備えたケープ付き育児器具を提供することを目的とする。
【０００５】
本実施形態によるケープは、
子供が着座する着座部を含む育児器具本体と、前記着座部の両側において両端部が前記育児器具本体に接続したガード部材と、を含む育児器具に取り付けられるケープであって、
前記ガード部材が通る少なくとも１つの筒状の通過穴が形成されている。
【０００６】
また、本実施形態によるケープ付き育児器具は、
子供が着座する着座部を含む育児器具本体と、前記着座部の両側において両端部が前記育児器具本体に接続したガード部材と、を含む育児器具と、
上記ケープと、を備えている。
【０００７】
本発明によれば、育児器具への取り付け及び取り外しが容易で且つ育児器具から外れる虞が低減されたケープ、及び、そのようなケープを備えたケープ付き育児器具を提供することができる。
【図面の簡単な説明】
【０００８】
【図１】図１は、本発明による一実施形態によるケープ付き育児器具を示す図である。
【図２】図２は、図１に示す育児器具の全体構成を説明するための斜視図である。
【図３】図３は、折り畳まれた状態で図１の育児器具を示す側面図である。
【図４】図４は、図１の育児器具の一部分を示す斜視図である。
【図５】図５は、図１に示すケープを前方から見た平面図である。
【図６】図６は、図１に示すケープを後方から見た平面図である。
【図７】図７は、ガード部材にケープを取り付ける方法を説明するための図である。
【図８】図８は、図１に示すケープ付き育児器具の前後方向に沿った断面図であって、ケープの使用形態の一例を示す図である。
【図９】図９は、図８に対応する図であって、ケープの使用形態の他の一例を示す図である。
【図１０】図１０は、図８に対応する図であって、ケープの使用形態のさらに他の一例を示す図である。
【図１１】図１１は、ケープが取り付けられた状態で折り畳まれた育児器具を示す斜視図である。
【図１２】図１２は、図１に示すケープ付き育児器具を前方から見た部分拡大図である。
【図１３】図１３は、図１に示すケープ付き育児器具を側方から見た部分拡大図である。
【発明を実施するための形態】
【０００９】
本発明によるケープは、育児器具本体と、育児器具本体に接続されたガード部材と、を有する育児器具に取り付けられる。育児器具は、乳母車、自動車両や自転車などに取り付けて用いられるチャイルドシート、ベビーラック等の器具であり、典型的には子供（乳児、幼児、児童等の年少者）を育てる過程において子供を世話するために使用される器具である。育児器具本体は、乳母車、チャイルドシート、ベビーラック等の本体部であり、典型的には子供が乗り込むスペースである着座部を有している。
【００１０】
以下、図１〜図１３を参照しながら本発明による一実施の形態について説明する。図１は、ケープ付き育児器具１を示す斜視図である。以下に説明する一実施の形態では、ケープ１００が育児器具１０としての乳母車に取り付けられる例を示すが、これに限られない。ケープ１００は、その他の育児器具に取り付けられてもよい。
【００１１】
＜育児器具＞
まず、図１〜図４を参照して、育児器具１０としての乳母車について説明する。図２及び図３には、乳母車の具体例の全体構成が示されている。また、図４は、乳母車を部分的に示す斜視図である。図２に示すように、本実施の形態における乳母車１０は、前脚１４及び後脚１６を有する本体フレーム１２と、本体フレーム１２に対して揺動可能となるように本体フレーム１２に接続されたハンドル４０と、前脚１４に取り付けられた第１キャスター１８と、後脚１６に取り付けられた第２キャスター１９と、を有している。このうち、本体フレーム１２及びハンドル４０が乳母車本体（育児器具本体）１１を構成している。また、乳母車本体１１は子供が着座する着座部３５を含む。着座部３５にはクッション性を有した座席材１３が取り外し可能に装着される。子供は、この座席材１３上に着座又は横臥する。図２に示すように、乳母車本体１１にはガード部材６０が取り付けられている。ガード部材６０は、着座部３５の上方かつ前方において、乳母車本体１１の幅方向に延びている。ガード部材６０の両端部は、乳母車本体１１の幅方向における着座部３５の両側において乳母車本体１１に接続している。図１に示すように、乳母車１０は、更に、着座部３５に着座した子供の上半身を覆う幌８０を有していてもよい。
【００１２】
図示された乳母車１０（乳母車本体１１）は、広く普及しているように、図２に示された展開状態から図３に示された折り畳み状態へ折り畳み可能に構成されている。乳母車１０（乳母車本体１１）は、折り畳み状態から展開状態に展開することもできる。
【００１３】
ところで、本明細書中において、乳母車およびその構成要素に対する「前」、「後」、「上」、「下」、「前後方向」、「上下方向」および「幅方向」の用語は、特に指示がない場合、展開状態にある乳母車およびその構成要素に着座する子供を基準とした「前」、「後」、「上」、「下」、「前後方向」、「上下方向」および「幅方向」を意味する。さらに詳しくは、「前後方向」とは、図２における紙面の左下と右上とを結ぶ方向に相当する。そして、特に指示がない限り、「前」とは、乗車した子供が向く側であり、図２における紙面の左下側が前側となる。一方、「上下方向」とは乳母車の走行面に直交する方向である。したがって、走行面が水平面である場合、「上下方向」とは鉛直方向をさす。また、「幅方向」とは横方向であって、「前後方向」および「上下方向」のいずれにも直交する方向である。図２に示すように、図示された乳母車１０は、全体的に、横方向中心に位置し前後方向及び上下方向に沿って広がる面を中心として、概ね対称な構成を有している。
【００１４】
まず、乳母車１０の全体構成として、乳母車本体１１について説明する。上述したように、乳母車本体１１は、本体フレーム１２及びハンドル４０を有している。このうち本体フレーム１２は、図２に示すように、それぞれ左右に配置された一対の前脚１４と、それぞれ左右に配置された一対の後脚１６と、を有している。本体フレーム１２は、それぞれ左右に配置された第１リンクＬ１、第２リンクＬ２、第３リンクＬ３及び第４リンクＬ４を更に有している。前脚１４、後脚１６及び第１〜第４リンクＬ１〜Ｌ４は、乳母車本体１１を折り畳み可能および展開可能に構成するリンクとして機能する。図示された例において、第１リンクＬ１は、アームレスト２１としても機能する。各第１リンク部材Ｌ１の前方部分には、ガード部材６０を接続するための端部支持部が形成されている。
【００１５】
図２に示すように、前脚１４の上端部分は、対応する側（左側または右側）に配置された第１リンクＬ１の前方部分に回動可能に接続されている。同様に、後脚１６の上端部分は、対応する側（左側または右側）に配置された第１リンクＬ１の前方部分に回動可能に接続されている。また、第２リンクＬ２の上方部分が、対応する側（左側または右側）に配置された第１リンクＬ１の後方部分に回動可能に接続されている。
【００１６】
図２及び図４に示すように、第３リンクＬ３は、前脚１４と回動可能に接続している。第４リンクＬ４は、後脚１６と回動可能に接続している。第３リンクＬ３は、第２リンクＬ２及び第４リンクＬ４の少なくとも一方と回動可能に接続している。第４リンクＬ４は、第２リンクＬ２及び第３リンクＬ３の少なくとも一方と回動可能に接続している。第２リンクＬ２は、第３リンクＬ３及び第４リンクＬ４の少なくとも一方と回動可能に接続している。
【００１７】
図２及び図４に示すように、第３リンクＬ３をなす部材として、フレーム材２４と、フレーム材２４に固定された前接続材２５とが設けられている。フレーム材２４は、全体としてＵ字状をなす。フレーム材２４は、前後方向に延びる一対の側部２４ａと、一対の側部２４ａを前方にて連結する連結部２４ｂと、を有している。前接続材２５は、一端部分を前脚１４と回動可能に接続され、他端部分を側部２４ａの前方部分に固定されている。この例において、右側に位置するフレーム材２４の側部２４ａと、この右側の側部２４ａに固定された右側の前接続材２５とによって、右側の第３リンクＬ３が形成されている。同様に、左側に位置するフレーム材２４の側部２４ａと、この左側の側部２４ａに固定された左側の前接続材２５とによって、左側の第３リンクＬ３が形成されている。
【００１８】
図４に示すように、第４リンクＬ４は、下端部分において後脚１６の中間部分と回動可能に接続されている。また、第４リンクＬ４は、上端部において第２リンクＬ２及び第３リンクＬ３と回動可能に接続されている。図示された例において、第２リンクＬ２、第３リンクＬ３及び第４リンクＬ４は、同一の軸部材３０を用いて、互いに回動可能に接続されている。この軸部材３０は、第２リンクＬ２の下端部、第４リンクＬ４の上端部、及び、第３リンクＬ３の後端部を貫通している。この構成により、第２リンクＬ２、第３リンクＬ３及び第４リンクＬ４は、軸部材３０の中心軸線と一致する軸線を中心として、互いに回動可能となっている。
【００１９】
また、図示された乳母車１０の本体フレーム１２は、図２に示すように、ベースフレーム３１及び上方フレーム３２と、ベースフレーム３１と上方フレーム３２とを連結する連結フレーム３３と、を更に有している。ベースフレーム３１及び上方フレーム３２は、共にＵ字状に形成されている。そして、図示された乳母車１０において、フレーム材２４およびベースフレーム３１には、ベース布材が張設される。なお、図３において、ベースフレーム３１、上方フレーム３２及び連結フレーム３３の図示を省略している。
【００２０】
図示された例において、フレーム材２４、ベースフレーム３１、上方フレーム３２、連結フレーム３３及びベース布材が、着座部３５を構成し、座席材１３を支持する。このうち、ベース布材の一部分およびフレーム材２４が、子供の臀部を支持する座部支持部を構成する。また、ベース布材の一部分およびベースフレーム３１が、子供の背部を支持する背部支持部を構成する。
【００２１】
ベースフレーム３１は、その両端部において、軸部材３０に貫通されている（図４参照）。そして、ベースフレーム３１は、フレーム材２４やその他の構成要素に対して回動可能となっている。ベースフレーム３１がフレーム材２４に対して回転することで、座席材１３のリクライニングが可能となる。
【００２２】
図２に示すように、本体フレーム１２は、乳母車本体１１の幅方向に延びる構成要素として、一対の前脚１４間を連結する前方連結材１５と、一対の後脚１６間を連結する後方連結材１７と、を有している。前方連結材１５は、フットレストとして機能する。
【００２３】
図２に示すように、ハンドル本体４１は、全体としてＵ字状の形状を有している。ハンドル本体４１は、Ｕ字の両端部において、本体フレーム１２と回動可能に接続されている。第２リンクＬ２、第３リンクＬ３、第４リンクＬ４、ベースフレーム３１及びハンドル４０は、軸部材３０によって画成される同一の軸線を中心として、互いに対して回動可能となっている。
【００２４】
以上の構成を有した乳母車本体１１は、各構成部材を相対回動させることにより、折り畳むことができる。具体的には、第１位置に配置されたハンドル４０をいったん後上方に引き上げ、その後、下方に押し下げることによって、第４リンクＬ４を後脚１６に対し回動させる。この操作にともなって、第１リンクＬ１および第３リンクＬ３は、第２リンクＬ２に対し回動する。このような操作により、側面視においてハンドル４０と前脚１４とが略平行な配置を維持しながら互いに接近するとともに、ハンドル４０の位置が下げられるようになる。以上のようにして、図３に示すように、乳母車本体１１を折り畳むことができる。図３の折り畳まれた状態では、乳母車１０の前後方向および上下方向に沿った寸法を小型化することができる。一方、乳母車本体１１を折り畳み状態から展開するには、上述した折り畳み操作と逆の手順を踏めばよい。
【００２５】
＜ガード部材＞
次に、図２を参照して、ガード部材６０およびガード部材６０が接続される端部支持部について説明する。
【００２６】
ところで、本明細書において、ガード部材およびその構成要素に対する「前」、「後」、「上」、「下」、「前後方向」、「上下方向」および「幅方向」の用語は、特に指示がない場合、ガード部材が乳母車本体に接続された状態での、乳母車およびその構成要素に着座する子供を基準とした「前」、「後」、「上」、「下」、「前後方向」、「上下方向」および「幅方向」を意味する。
【００２７】
図２に示す例では、ガード部材６０は、ガード本体６１と、ガード本体６１の両端部にそれぞれ接続された接続部６２ａ，６２ｂと、を有する。一側接続部６２ａは、ガード部材６０の一側端部をなす。また、他側接続部６２ｂは、ガード部材６０の他側端部をなす。一側接続部６２ａは、左側の第１リンクＬ１に設けられた一側端部支持部５０に着脱可能に接続する。また、他側接続部６２ｂは、右側の第１リンクＬ１に設けられた他側端部支持部に着脱不能に接続している。図示された例では、一側接続部６２ａに設けられた解除操作部７１を一側接続部６２ａの内側に押し込むことにより、一側接続部６２ａと一側端部支持部５０の接続（係合）を解除することができる。なお、他側接続部６２ｂは、右側の第１リンクＬ１に設けられた他側端部支持部に着脱可能に接続し、一側接続部６２ａは、左側の第１リンクＬ１に設けられた一側端部支持部５０に着脱不能に接続してもよい。また、一側接続部６２ａは、左側の第１リンクＬ１に設けられた一側端部支持部５０に着脱可能に接続し、他側接続部６２ｂは、右側の第１リンクＬ１に設けられた他側端部支持部に着脱可能に接続してもよい。
【００２８】
図示された例では、ガード本体６１は可撓性を有する材料で形成されているが、これに限られない。
【００２９】
＜ケープ＞
次に、図５〜図１３を参照して、ケープ１００について説明する。図５及び図６は、それぞれ、図１に示すケープ１００を前方及び後方から見た平面図である。図７は、ガード部材６０にケープ１００を取り付ける方法を説明するための図である。図８は、ケープ１００の第１使用形態を示す図である。図９は、ケープ１００の第２使用形態を示す図である。図１０は、ケープ１００の第３使用形態を示す図である。図１１は、ケープ１００が取り付けられた状態で折り畳まれた乳母車１０を示す斜視図である。図１２及び図１３は、それぞれ、図１に示すケープ付き育児器具１を前方及び側方から見た部分拡大図である。本実施の形態のケープ１００は、育児器具１０への取り付け及び取り外しを容易にし、且つ育児器具１０から外れる虞を低減させるための工夫がなされている。
【００３０】
ところで、本明細書中において、ケープ及びケープを構成するシート状部材に対する「前」、「後」、「上」、「下」、「前後方向」、「上下方向」および「幅方向」の用語は、特に指示がない場合、図１に示すようにケープが展開状態にある育児器具に広げて取り付けられた状態において、当該育児器具の着座部に着座する子供を基準とした「前」、「後」、「上」、「下」、「前後方向」、「上下方向」および「幅方向」を意味する。さらに詳しくは、「前後方向」とは、図８〜図１０における紙面の左右方向に相当する。「上下方向」とは、図５及び図６における紙面の上下方向に相当する。また、「幅方向」とは、図５及び図６における紙面の左右方向に相当する。
【００３１】
図示された例では、ケープ１００は、育児器具１０に取り付けられて、主に、育児器具１０の着座部３５に着座した子供の脚を覆い、子供に日除けの空間を提供するために用いられる。ケープ１００は、日差しや風雨を遮ることができる柔軟性なシート状部材１１０を縫製することにより形成されている。シート状部材１１０は、紫外線を遮断する機能を有していてもよい。また、シート状部材１１０は、撥水性、防水性、耐水度等の機能を有していてもよい。
【００３２】
図示された例では、シート状部材１１０は、全体として四角形の第１布材１１１及び第２布材１１２を重ね合わせ、それらの周縁部を互いに縫着させてなる。第１布材１１１は、ケープ１００が育児器具１０に取り付けられた状態において、主に、育児器具１０の着座部３５の側（後方）を向く。また、第２布材１１２は、ケープ１００が育児器具１０に取り付けられた状態において、主に、着座部３５とは反対の側（前方）を向く。第２布材１１２は、紫外線を遮断する機能及び撥水性の機能を有していてよい。
【００３３】
図５及び図６に示すように、ケープ１００には、ケープ１００の幅方向に延びる少なくとも１つの筒状の通過穴１２１，１２２が形成されている。育児器具１０のガード部材６０を通過穴１２１，１２２に通すことにより、ケープ１００は育児器具１０に取り付けられる。より詳しくは、図７に示すように、ガード部材６０の一側接続部６２ａを育児器具本体１１から取り外した後、一側接続部６２ａを通過穴１２１，１２２に差し込んでガード部材６０を通過穴１２１，１２２に通し、ガード部材６０の一側接続部６２ａを育児器具本体１１に再び接続することにより、ケープ１００を育児器具１０に取り付けることができる。このように、図示されたケープ１００は、容易に育児器具１０に取り付けることができる。また、ケープ１００は、ケープ１００を育児器具１０に取り付けるための追加の部材を必要としない。また、従来技術のように、ケープをスナップボタンやクリップを利用して育児器具１０に取り付けるのではなく、ガード部材６０をケープ１００に形成された通過穴１２１，１２２に通すことによりケープ１００がガード部材６０に取り付けられるので、ケープ１００が引っ張られても育児器具１０から脱落する虞が低い。また、図８〜図１０から理解されるように、ケープ１００がガード部材６０に取り付けられることにより、ケープ１００と着座部３５との間に空間が形成される。この結果、ケープ１００で日差しを遮りつつケープ１００と着座部３５との間に風を通すことができ、着座部３５の温度が上昇することを抑制することができる。
【００３４】
図示された例では、ケープ１００には、複数の通過穴１２１，１２２が形成されている。図５及び図６に示すように複数の通過穴１２１，１２２は、ケープ１００の上下方向に互いから離間して形成されている。これにより、図８〜図１０から理解されるように、育児器具１０に着座する子供の身長（月齢）に応じて、ケープ１００の取付位置を変更することができる。すなわち、ガード部材６０から垂れ下がるケープ１００の長さを、子供の脚の長さに応じて変更することができる。また、ガード部材６０をケープ１００の上縁から離間した通過穴１２２に通過させる場合、図１０に示すように、ケープ１００の一部で育児器具１０に着座した子供の上半身を覆うことができる。
【００３５】
図５及び図６に示す例では、ケープ１００は、通過穴１２１，１２２が形成された本体領域１３０と、本体領域１３０の下端縁に接続するマチ領域１３５と、を有する。本体領域１３０には、第１通過穴１２１及び第２通過穴１２２が形成されている。図５に示すように、第１通過穴１２１は、本体領域１３０の上縁に形成されている。また、図６に示すように、第２通過穴１２２は、本体領域１３０の上下方向における中央領域に形成されている。
【００３６】
図示された例では、第１通過穴１２１は、シート状部材１１０の一部をケープ１００の幅方向に延びる線に沿って折り返して、その一部をシート状部材１１０自身に縫着することにより形成されている。より詳しくは、シート状部材１１０のうち本体領域１３０を形成する部分は、第１領域１３１と、第１領域１３１の上縁に接続する第２領域１３２とを有する。第２領域１３２をケープ１００の幅方向に沿って折り返して第１領域１３１に対面させた後、上記幅方向に沿って第２領域１３２を第１領域１３１に縫着することにより、第１領域１３１と第２領域１３２との間に、両端部が開放した筒状の第１通過穴１２１が形成されている。図示された例では、第２領域１３２は、第２領域１３２の第２布材１１２と第１領域１３１の第２布材１１２とが対面するように折り返されるが、これに限られない。第２領域１３２は、第２領域１３２の第１布材１１１と第１領域１３１の第１布材１１１とが対面するように折り返されてもよい。
【００３７】
図５に示すように、第２領域１３２の幅は、第１領域１３１の上端部（第１領域１３１のうち第２領域１３２に対面する部分）の幅よりも短い。言い換えると、本体領域１３０のうち第１通過穴１２１が形成された領域において、第２領域１３２の幅は第１領域１３１の幅よりも短い。これにより、第１領域１３１と第２領域１３２とを引き分けて第１通過穴１２１にガード部材６０を挿通することが容易である。もちろん、第２領域１３２の幅は、第１領域１３１の上端部の幅よりも長くてもよい。言い換えると、本体領域１３０のうち第１通過穴１２１が形成された領域において、第２領域１３２の幅は第１領域１３１の幅よりも長くてもよい。この場合も、第１領域１３１と第２領域１３２とを引き分けて第１通過穴１２１にガード部材６０を挿通することが容易である。
【００３８】
第２通過穴１２２は、第１布材１１１と第２布材１１２との間に形成されている。より詳しくは、図６に示すように、本体領域１３０には、ケープ１００の上下方向における第１通過穴１２１の下方に、ケープ１００の幅方向に沿って延びる２本の縫い目Ｓ１，Ｓ２が設けられている。２本の縫い目Ｓ１，Ｓ２は、第１布材１１１と第２布材１１２とを縫着させる。第２の縫い目Ｓ２は、ケープ１００の上下方向における第１の縫い目Ｓ１の下方に、第１の縫い目Ｓ１から離間して形成されている。２本の縫い目Ｓ１，Ｓ２の間において、第１布材１１１の両縁部１１１ａ，１１１ｂと第２布材１１２の両縁部１１２ａ，１１２ｂとは、互いに対して縫着されていない。したがって、上記２本の縫い目Ｓ１，Ｓ２の間において第１布材１１１と第２布材１１２との間には、両端部が開放した筒状の通過穴１２２が形成されている。
【００３９】
図６に示すように、２本の縫い目Ｓ１，Ｓ２の間（すなわち、本体領域１３０のうち第２通過穴１２２が形成された領域）において、第１布材１１１の幅は、第２布材１１２の幅方よりも短い。これにより、２本の縫い目Ｓ１，Ｓ２の間において第１布材１１１と第２布材１１２とを引き分けて第２通過穴１２２にガード部材６０を挿通することが容易である。もちろん、２本の縫い目Ｓ１，Ｓ２の間において、第１布材１１１の幅は、第２布材１１２の幅よりも長くてもよい。この場合も、２本の縫い目Ｓ１，Ｓ２の間において第１布材１１１と第２布材１１２とを引き分けて第２通過穴１２２にガード部材６０を挿通することが容易である。
【００４０】
ケープ１００に互いにケープ１００の上下方向に離間する第１通過穴１２１及び第２通過穴１２２が形成されていることにより、ケープ１００は、図８に示す第１使用形態と、図９に示す第２使用形態と、図１０に示す第３使用形態で使用することができる。図８に示す第１使用形態では、ガード部材６０がケープ１００の上縁に形成された第１通過穴１２１に挿通され、本体領域１３０全体で育児器具１０に着座する子供の脚を覆うことができる。第１使用形態は、育児器具１０に着座する子供の身長が高い場合（月齢が高い場合）に適している。また、図９に示す第２使用形態では、ガード部材６０が本体領域１３０の上下方向における中央領域に形成された第２通過穴１２２に挿通され、本体領域１３０の下半部で育児器具１０に着座する子供の脚を覆うことができる。第２使用形態は、育児器具１０に着座する子供の身長が低い場合（月齢が低い場合）に適している。第２使用形態では、本体領域１３０の上半部は折り返されて本体領域１３０の下半部の前方に位置している。また、図１０に示す第３使用形態では、第２使用形態と同様にガード部材６０が第２通過穴１２２に挿通され、本体領域１３０の下半部で育児器具１０に着座する子供の脚を覆うことができる。第３使用形態では、本体領域１３０の上半部は育児器具１０に着座する子供の上半身を覆うように着座部３５の上方に配置される。ケープ１００を第３使用形態で使用すれば、例えば、冷房からの冷たい空気が育児器具１０に着座する子供の上半身に直接当たることを防ぐことができる。
【００４１】
本体領域１３０の下縁には、本体領域１３０から後方に立ち上がったマチ領域１３５が接続している。図６に示す例では、マチ領域１３５は、シート状部材１１０の下端部の二つの隅部にタックＴ１，Ｔ２を設けることにより、形成されている。各タックＴ１，Ｔ２は、シート状部材１１０の下端部の各隅部からケープ１００の上下方向における上方に向かうにつれてケープ１００の幅方向内側に向かう線に沿って形成される。図８に示すように、マチ領域１３５は、育児器具１０の着座部３５に着座した子供の足先を下方から覆うことができる。したがって、子供の足先を、本体領域１３０とマチ領域１３５とによって、前方及び下方からくるむことができる。あるいは、図９及び図１０に示すように、マチ領域１３５は、育児器具１０の着座部３５の前端又は着座部３５に装着された座席材１３の前端を下方から覆うことができる。したがって、着座部３５の前端又は座席材１３の前端を、本体領域１３０とマチ領域１３５とによって、前方及び下方からくるむことができる。これにより、ケープ１００は、着座部３５に着座した子供の足先を安定して覆うことができる。
【００４２】
図示された例では、ケープ１００の長さは次のように決められている。すなわち、図１に示すように、ケープ１００の長さは、ケープ１００が第１通過穴１２１に育児器具１０のガード部材６０が挿通されることによって育児器具１０に取り付けられ、且つ、育児器具１０が展開状態にある場合において、ケープ１００の下端部が前方連結材１５と概ね同じ高さ位置になるように決定される。図示された例では、ケープ１００のタックＴ１，Ｔ２が前方連結材１５の上面と同じ高さ又は上面よりもわずかに高い位置に配置されるように、決定される。これにより、フットレストとして機能する前方連結材１５にマチ領域１３５を載せて着座部３５に着座した子供の足先をくるむことができる。また、ケープ１００が回転する第１キャスター１８に巻き込まれる虞が抑制される。
【００４３】
また、図示された例では、図１及び図１１に示すように、ケープ１００を取り付けたまま育児器具１０を展開状態と折り畳み状態との間で変化させることができるよう、ケープ１００の幅は次のように決められている。すなわち、図１２に示すように、ケープ１００の幅は、ケープ１００が、育児器具１０に取り付けられた状態において、育児器具１０の一対の前脚１４の幅方向外側を向く面１４ａの内側に位置する、というように決定される。これにより、育児器具１０を展開状態と折り畳み状態との間で変化させる際、ケープ１００が相対回動する後脚１６，第１リンク材Ｌ１〜第４リンク材Ｌ４の間、及び、相対回動する前脚１４，第３リンク材Ｌ３，後脚１６の間に挟み込まれないように、ケープ１００を育児器具１０に取り付けることができる。
【００４４】
すなわち、ケープ１００の幅がこのように決められている場合、図１３に示すように、ガード部材６０に取り付けられたケープ１００のうち着座部３５の外側へ垂れ下がる部分は、育児器具１０の後脚１６よりも前方に配置される。ここで、上述したように、後脚１６にはリンク材Ｌ１〜Ｌ４が回動可能に接続されている。後脚１６及びリンク材Ｌ１〜Ｌ４は、育児器具１０が展開状態と折り畳み状態との間で変化する際、育児器具１０の側面視において、後脚１６の後方で互いに重なり合いながら相対回動する。したがって、後脚１６の後方にケープ１００の一部が配置されると、これらの構成要素１６，Ｌ１〜Ｌ４の間にケープ１００が挟み込まれる虞がある。しかしながら、ケープ１００の幅が上記のように決められている場合、ガード部材６０に取り付けられたケープ１００のうち着座部３５の外側へ垂れ下がる部分は、育児器具１０の後脚１６よりも前方に配置される。これにより、育児器具１０が展開状態と折り畳み状態との間で変化する際にケープ１００が上記相対回動する構成要素１６，Ｌ１〜Ｌ４の間に挟み込まれる、という虞が抑制される。
【００４５】
また、ケープ１００の幅が上記のように決められている場合、ガード部材６０に取り付けられたケープ１００のうち着座部３５の外側へ垂れ下がる部分は、育児器具１０の前脚１４よりも前方に配置される。ここで、上述したように、前脚１４には第３リンク材Ｌ３及び後脚１６が回動可能に接続されている。前脚１４と第３リンク材Ｌ３と後脚１６とは、育児器具１０が展開状態と折り畳み状態との間で変化する際、育児器具１０の側面視において、前脚１４の後方で互いに重なり合いながら相対回動する。したがって、前脚１４の後方にケープ１００の一部が配置されると、これらの構成要素１４，Ｌ３，１６の間にケープが挟み込まれる虞がある。しかしながら、ケープ１００の幅が上記のように決められている場合、ガード部材６０に取り付けられたケープ１００のうち着座部３５の外側へ垂れ下がる部分は、育児器具１０の前脚１４よりも前方に配置される。これにより、育児器具１０が展開状態と折り畳み状態との間で変化する際にケープ１００が上記相対回動する構成要素１４，Ｌ３，１６の間に挟み込まれる、という虞が抑制される。
【００４６】
上述したケープ１００は、構造が単純であるため、容易に洗濯することができ、素早く乾燥させることができる。とりわけ図示された例では、ケープ１００は、シート状部材１１０に縫製を施すだけで作製されているため、特に容易に洗濯することができる。さらに、上述したケープ１００は、図５及び図６に示すように平らにすることができるため、容易且つ迅速に折り畳んで収納することができる。
【００４７】
このような構成を有するケープ１００は、次のようにして育児器具１０に取り付けることができる。すなわち、ガード部材６０の一側接続部６２ａに設けられた解除操作部７１を操作して、一側端部支持部５０と一側接続部６２ａとの係合を解除する。そして、ガード部材６０の一側接続部６２ａを、育児器具本体１１から取り外す。次に、図７に示すように、ガード部材６０の一側接続部６２ａを通過穴１２１，１２２の一方の端部に差し込む。そして、ガード部材６０を通過穴１２１，１２２に通して、一側接続部６２ａを当該通過穴１２１，１２２の他方の端部から引き出す。次に、一側接続部６２ａを一側端部支持部５０に係合させて接続する。一側接続部６２ａが一側端部支持部５０に接続された状態では、一側接続部６２ａと一側端部支持部５０とが係合しているため、一側接続部６２ａが一側端部支持部５０から脱落することが防止される。この結果、ケープ１００が育児器具１０から脱落することも防止される。
【００４８】
また、ケープ１００は、ガード部材６０の一側接続部６２ａを育児器具本体１１から取り外した後、ガード部材６０をケープ１００の通過穴１２１，１２２から引き抜くことにより、育児器具１０から取り外すことができる。
【００４９】
なお、以上に説明した実施形態では、ケープ１００には、複数の通過穴１２１，１２２が形成されているが、これに限られない。ケープ１００には通過穴が１つだけ形成されていてもよい。
【００５０】
また、通過穴１２１は、ケープ１００の上縁に形成されていなくてもよい。すなわち、通過穴１２１は、ケープ１００の上下方向において、ケープ１００の上縁から離間して設けられていてもよい。この場合、図１０に示すように、ケープ１００の一部で育児器具１０に着座した子供の上半身を覆うことができる。
【００５１】
以上のように、本実施形態のケープ１００は、子供が着座する着座部３５を含む育児器具本体１１と、着座部３５の両側において両端部が育児器具本体１１に接続したガード部材６０と、を含む育児器具１０に取り付けられる。ケープ１００には、ガード部材６０が通る少なくとも１つの筒状の通過穴１２１，１２２が形成されている。このようなケープ１００は、育児器具１０への取り付け及び取り外しが容易である上、育児器具１０から意図せず脱落する虞が低い。また、ケープ１００がガード部材６０に取り付けられることにより、ケープ１００と着座部３５との間に空間が形成される。この結果、ケープ１００で日差しを遮りつつケープ１００と着座部３５との間に風を通すことができ、着座部３５の温度が上昇することを抑制することができる。
【００５２】
また、本実施形態では、複数の通過穴１２１，１２２が、ケープ１００の上下方向に互いから離間して形成されている。具体的には，本実施の形態では、第１通過穴１２１がケープ１００の上縁に形成されている。また、本実施の形態では、第２通過穴１２２が、ケープ１００の上下方向における中央領域に形成されている。このようにケープ１００に複数の通過穴１２１，１２２が形成されていることにより、育児器具１０に着座する子供の身長（月齢）に応じて、ガード部材６０に対するケープ１００の取付位置を変更することができる。例えば、ケープ１００を、図８に示す第１使用形態、図９に示す第２使用形態及び図１０に示す第３使用形態で使用することができる。
【００５３】
また、上述したように、本実施の形態では、通過穴１２２が、ケープ１００の上縁から離間して形成されている。これにより、ケープ１００の一部で育児器具１０の着座部３５に着座した子供の上半身を覆うことができる。
【００５４】
また、本実施の形態では、ケープ１００は、シート状部材１１０を含んでいる。シート状部材１１０は、第１領域１３１及び第１領域１３１の上縁に接続する第２領域１３２を含んでいる。そして、通過穴１２１は、第２領域１３２をケープ１００の幅方向に沿って折り返して第１領域１３１に縫着することにより形成されている。
【００５５】
また、本実施の形態では、ケープ１００のうち通過穴１２１が形成された領域において、第１領域１３１及び第２領域１３２の一方の幅は、第１領域１３１及び第２領域１３２の他方の幅よりも狭い。これにより、第１領域１３１と第２領域１３２とを引き分けて第１通過穴１２１にガード部材６０を挿通することが容易である。
【００５６】
また、本実施の形態では、ケープ１００は、互いに重ね合わされた第１布材１１１及び第２布材１１２を含む。そして、通過穴１２２は、第１布材１１１及び第２布材１１２の間に形成されている。
【００５７】
また、本実施の形態では、ケープ１００のうち通過穴１２２が形成された領域において、第１布材１１１及び第２布材１１２の一方の幅は、第１布材１１１及び第２布材１１２の他方の幅よりも狭い。これにより、通過穴１２２が形成された領域において第１布材１１１と第２布材１１２とを引き分けて通過穴１２２にガード部材６０を挿通することが容易である。
【００５８】
また、本実施の形態のケープ１００は、通過穴１２１，１２２が形成された本体領域１３０と、本体領域１３０から立ち上がったマチ領域１３５と、を備えている。マチ領域１３５は、育児器具１０の着座部３５に着座した子供の足先を下方から覆うことができる。したがって、子供の足先を、本体領域１３０とマチ領域１３５とによって前方及び下方からくるむことができる。あるいは、マチ領域１３５は、育児器具１０の着座部３５の前端又は着座部３５に装着された座席材１３の前端を下方から覆うことができる。したがって、着座部３５の前端又は座席材１３の前端を、本体領域１３０とマチ領域１３５とによって前方及び下方からくるむことができる。これにより、ケープ１００は、着座部３５に着座した子供の足先を安定して覆うことができる。
【００５９】
また、本実施の形態において、ケープ付き育児器具１は、育児器具１０と育児器具１０に取り付けられるケープ１００とを備えている。育児器具１０は、子供が着座する着座部３５を含む育児器具本体１１と、着座部３５の両側において両端部が育児器具本体１１に接続したガード部材６０と、を含む。ケープ１００には、ガード部材６０が通る少なくとも１つの筒状の通過穴１２１，１２２が形成されている。このようなケープ付き育児器具１は、育児器具１０へのケープ１００の取り付け及び取り外しが容易である上、ケープ１００が育児器具１０から意図せず脱落する虞が低い。また、ケープ１００がガード部材６０に取り付けられることにより、ケープ１００と着座部３５との間に空間が形成される。この結果、ケープ１００で日差しを遮りつつケープ１００と着座部３５との間に風を通すことができ、着座部３５の温度が上昇することを抑制することができる。
【００６０】
また、本実施の形態において、育児器具１０は、展開状態と折り畳み状態との間で変形可能な乳母車である。育児器具本体１１は、ハンドル４０と、育児器具本体１１の幅方向に互いから離間して配置され、ハンドル４０に回動可能に接続した一対の第１リンク部材Ｌ１と、第１リンク部材Ｌ１の一方及び他方に回動可能に接続した一対の後脚１６と、後脚１６の一方及び他方に回動可能に接続した一対の前脚１４と、後脚１６及び前脚１４に支持された着座部３５と、を含む。そして、ケープ１００は、ガード部材６０に取り付けられた状態で、一対の前脚１４の幅方向外側を向く面１４ａの内側に位置する。これにより、育児器具１０が展開状態と折り畳み状態との間で変化する際にケープ１００が育児器具本体１１の相対回動する後脚１６及び第１リンクＬ１の間に挟み込まれる、という虞が抑制される。
【００６１】
また、本実施の形態において、育児器具１０は、一対の前脚１４を有し、展開状態と折り畳み状態との間で変形可能な乳母車である。ケープ１００は、育児器具１０が展開状態にある場合及び折り畳み状態にある場合のいずれにおいても一対の前脚１４の幅方向外側を向く面１４ａの内側に位置するように、ガード部材６０に取り付け可能である。これにより、育児器具１０が展開状態と折り畳み状態との間で変化する際にケープ１００が育児器具本体１１の相対移動する構成要素間に挟み込まれる、という虞が抑制される。
【００６２】
なお、以上において上述した実施の形態に対するいくつかの変形例を説明してきたが、当然に、複数の変形例を適宜組み合わせて適用することも可能である。
【要約】
ケープ（１００）は、子供が着座する着座部（３５）を含む育児器具本体（１１）と、着座部（３５）の両側において両端部が育児器具本体（１１）に接続したガード部材（６０）と、を含む育児器具（１０）に取り付けられるケープ（１００）である。ケープ（１００）には、ガード部材（６０）が通る少なくとも１つの筒状の通過穴（１２１，１２２）が形成されている。【図１】
0006964922.tif 000002
【図２】
0006964922.tif 000003
【図３】
0006964922.tif 000004
【図４】
0006964922.tif 000005
【図５】
0006964922.tif 000006
【図６】
0006964922.tif 000007
【図７】
0006964922.tif 000008
【図８】
0006964922.tif 000009
【図９】
0006964922.tif 000010
【図１０】
0006964922.tif 000011
【図１１】
0006964922.tif 000012
【図１２】
0006964922.tif 000013
【図１３】
0006964922.tif 000014